(57)【要約】  エレベータかご内に表示する情報の更新を無線により行うエレベータ情報表示システムであって、エレベータの昇降路内若しくは乗場に設置され、更新すべき情報を送信する第一の送受信手段と、かごに設置され、第一の送受信手段により更新すべき情報を受信する第二の送受信手段と、第二の送受信手段で受信した更新すべき情報の通信品質に基づいて受信可否を判定して受信可否情報を生成する受信可否判定手段と、受信可否情報生成後、予め定めた所定量でかご位置を移動させるかご駆動手段と、受信可否情報に基づき更新すべき情報を記憶することにより情報の更新を行う第一の記憶手段と、第一の記憶手段で記憶した情報に基づいてかご内情報を表示するかご情報表示手段と、を備え、第一の記憶手段への記憶は、受信可否情報が受信可であるかご位置に、かご駆動手段によりかごを移動させてから実施することとした。
2014054066.tif 000002
【特許請求の範囲】
【請求項１】
エレベータかご内に表示する情報の更新を無線により行うエレベータ情報表示システムであって、
前記エレベータの昇降路内若しくは乗場に設置され、更新すべき情報を送信する第一の送受信手段と、
前記かごに設置され、前記第一の送受信手段により前記更新すべき情報を受信する第二の送受信手段と、
前記第二の送受信手段で受信した前記更新すべき情報の通信品質に基づいて受信可否を判定して受信可否情報を生成する受信可否判定手段と、
前記受信可否情報生成後、予め定めた所定量でかご位置を移動させるかご駆動手段と、
前記受信可否情報に基づき前記更新すべき情報を記憶することにより情報の更新を行う第一の記憶手段と、
前記第一の記憶手段で記憶した情報に基づいてかご内情報を表示するかご情報表示手段と、を備え、
前記第一の記憶手段への記憶は、前記受信可否情報が受信可であるかご位置に、前記かご駆動手段によりかごを移動させてから実施することを特徴とするエレベータの情報表示システム。
【請求項２】
エレベータかご内に表示する情報の更新を無線により行うエレベータ情報表示システムであって、
前記エレベータの昇降路内若しくは乗場に設置され、通信品質判定用情報及び更新すべきエレベータ表示情報を送信するとともに受信品質可否情報を受信する第一の送受信手段と、
前記かごに設置され、前記第一の送受信手段により前記通信品質判定用情報及び更新すべき情報を受信するとともに前記受信可否情報を送信する第二の送受信手段と、
前記第二の送受信手段で受信した前記通信品質判定用情報の通信品質に基づいて受信可否を判定して前記受信可否情報を生成する受信可否判定手段と、
前記受信可否情報生成後及び前記かご移動指令に基づいて、予め定めた所定量でかご位置を移動させるかご駆動手段と、
前記受信可否情報に基づき前記更新すべき情報を記憶することにより情報の更新を行う第一の記憶手段と、
前記第一の記憶手段で記憶した情報に基づいてかご内情報を表示するかご情報表示手段と、を備え、
前記第一の記憶手段への記憶は、前記受信可否情報が受信可であるかご位置に、前記かご駆動手段によりかごを移動させてから実施することを特徴とするエレベータの情報表示システム。
【請求項３】
前記情報表示システムは、更に、かご内の昇降路位置の情報を取得する昇降路位置取得手段と、前記昇降路位置と前記受信品質判定手段の受信可否情報とを対応付けて記憶する第二の記憶手段を備え、
前記第一の記憶手段への記憶は、前記受信可否情報が受信可であるかご位置に、前記かご駆動手段によりかごを移動させてから実施することを特徴とする請求項１、２いずれかに記載のエレベータの情報表示システム。
【請求項４】
前記情報表示システムは、更に、遠隔で更新すべき情報を入力する更新情報入力手段と、
遠隔でかごを制御するかご遠隔制御手段と、を備え、
前記第一の記憶手段への記憶は、前記更新情報入力手段からの移動指令に基づいて前記受信可否情報が受信可である位置にかごを移動させてから実施することを特徴とする、請求項１〜３いずれかに記載のエレベータの情報表示システム。
【発明の詳細な説明】
【技術分野】
【０００１】
この発明は、エレベータのかご内に表示する情報の更新を、無線を用いてエレベータ情報表示システムに関する。
【背景技術】
【０００２】
従来技術として、昇降路内のエレベータのかご上と昇降路頂部に設けられた無線通信対と、かご下と昇降路底部に設けられた無線通信対とを、昇降路の所定の位置に基づいて該複数の無線通信対を切り換えて信号伝送を行う構成が開示されている（例えば、特許文献１）。【０００３】
また、昇降路内のエレベータのかご上と昇降路頂部に設けられた無線通信対と、かご下と昇降路底部に設けられた無線通信対とを、受信電力レベルが交差する位置に基づいて所定の受信電力レベルを満足する位置で該複数の無線通信対を切り換えて信号伝送を行う構成が開示されている（例えば、特許文献２）。
【先行技術文献】
【特許文献】
【０００４】
【特許文献１】特開２００４−３２３１８０号公報（第１図）
【特許文献２】特開２００５−１１９７６０号公報（第１図）
【発明の概要】
【発明が解決しようとする課題】
【０００５】
特許文献１−２は昇降路行程の半分あるいは半分以上の距離で通信可能であることを前提としている。そのため、無線通信距離が長くなる超高層エレベータにおいて、２対の無線通信対のいずれも通信距離が長くなってしまうため、満足する通信品質を確保できないという問題がある。また数階〜十数階程度の高さのエレベータにおいても、送信電力を必要以上に大きくさせる必要があるという問題点があった。
【課題を解決するための手段】
【０００６】
この発明におけるエレベータ情報表示システムにおいては、エレベータかご内に表示する情報の更新を無線により行うエレベータ情報表示システムであって、
前記エレベータの昇降路内若しくは乗場に設置され、更新すべき情報を送信する第一の送受信手段と、
前記かごに設置され、前記第一の送受信手段により前記更新すべき情報を受信する第二の送受信手段と、
前記第二の送受信手段で受信した前記更新すべき情報の通信品質に基づいて受信可否を判定して受信可否情報を生成する受信可否判定手段と、
前記受信可否情報生成後、予め定めた所定量でかご位置を移動させるかご駆動手段と、
前記受信可否情報に基づき前記更新すべき情報を記憶することにより情報の更新を行う第一の記憶手段と、
前記第一の記憶手段で記憶した情報に基づいてかご内情報を表示するかご情報表示手段と、を備え、
前記第一の記憶手段への記憶は、前記受信可否情報が受信可であるかご位置に、前記かご駆動手段によりかごを移動させてから実施する。
【発明の効果】
【０００７】
この発明のエレベータ情報表示システムにおいては、エレベータかご内に表示する情報の更新を無線により行うエレベータ情報表示システムであって、
前記エレベータの昇降路内若しくは乗場に設置され、更新すべき情報を送信する第一の送受信手段と、
前記かごに設置され、前記第一の送受信手段により前記更新すべき情報を受信する第二の送受信手段と、
前記第二の送受信手段で受信した前記更新すべき情報の通信品質に基づいて受信可否を判定して受信可否情報を生成する受信可否判定手段と、
前記受信可否情報生成後、予め定めた所定量でかご位置を移動させるかご駆動手段と、
前記受信可否情報に基づき前記更新すべき情報を記憶することにより情報の更新を行う第一の記憶手段と、
前記第一の記憶手段で記憶した情報に基づいてかご内情報を表示するかご情報表示手段と、を備え、
前記第一の記憶手段への記憶は、前記受信可否情報が受信可であるかご位置に、前記かご駆動手段によりかごを移動させてから実施するため、
例えば、超高層エレベータにおいても、通信可である位置にエレベータを移動させることができるため、更新すべき情報を確実に伝送することができる。また必要以上に送信電力を大きくさせる必要もない。
【図面の簡単な説明】
【０００８】
【図１】この発明の実施の形態１及び２に係るエレベータ情報表示システムを示す構成図である。
【図２】この発明の実施の形態１に係るエレベータ情報表示システムの動作を示すフローチャートである。
【図３】この発明の実施の形態１及び２に係るエレベータ情報表示システムの変形例を示す構成図である。
【図４】この発明の実施の形態２に係るエレベータ情報表示システムの動作を示すフローチャートである。
【図５】この発明の実施の形態３に係るエレベータ情報表示システムを示す構成図である。
【図６】この発明の実施の形態３に係るエレベータ情報表示システムの動作を示すフローチャートである。
【図７】この発明の実施の形態３に係るエレベータ情報表示システムの変形例を示す構成図である。
【図８】この発明の実施の形態４に係るエレベータ情報表示システムの動作を示す構成図である。
【図９】この発明の実施の形態４に係るエレベータ情報表示システムを示すフローチャートである。
【発明を実施するための形態】
【０００９】
実施の形態１．
図１はこの発明の実施の形態１におけるエレベータの情報表示システムの一構成図である。図１において、昇降路１内には、更新すべきエレベータ表示情報を送信するための第一の送受信手段４と、昇降路１内を昇降するかご２があり、かご２の中には情報表装置３が備えられている。情報表示装置３は、第一の送受信手段４から更新すべきエレベータ表示情報を第一の送受信手段４から受信する第二の送受信手段５、第二の送受信手段５で受信した更新すべきエレベータ表示情報の通信品質に基づいて受信可否を判定して受信可否情報を生成する受信可否判定手段６と、受信可否情報生成後、予め定めた所定量でかご位置を移動させるかご位置駆動手段９と、受信可否情報に基づき更新すべき情報を記憶することにより情報の更新を行う第一の記憶手段７及び第一の記憶手段７で記憶された更新すべき情報を表示するかご情報表示手段８を備えている。
【００１０】
次に図１の動作を図２に基づいて説明する。図２はこの発明の実施の形態１における動作フローチャートである。
【００１１】
まずＳ１０１において、第一の送受信手段４から更新すべきエレベータの表示情報（以下、更新すべき情報）が送信され、Ｓ１０２に進む。
【００１２】
Ｓ１０２では、第一の送受信手段４から送信された更新すべき情報を第二の送受信手段５にて受信し、Ｓ１０３に進む。
【００１３】
Ｓ１０３では、第二の送受信手段５において受信した更新すべき情報より受信可否判定手段６において受信可否を判定し、Ｓ１０４に進む。受信可否は、受信品質を求め、それが所定値以上であれば受信可、所定値未満であれば受信否と判定する。ここで作成された受信可若しくは受信否の情報は受信品質可否情報と呼ぶ。受信品質は周知の技術により求めることができる。例えば、信号対雑音電力比（Ｓ／Ｎ；Ｓｉｇｎａｌ  ｔｏ  Ｎｏｉｓｅ  Ｐｏｗｅｒ  Ｒａｔｉｏ）を用いる方法や、実際に復調し、誤り訂正用のパリティビットを計測することにより求めたフレームエラーレートを用いる方法などがある。また所定値については、例えばＳ／Ｎが３ｄＢ以上やフレームエラーレートが１％以下など、予め定めておいても良いし、適宜設定しても良い。
【００１４】
Ｓ１０４では、受信可否判定手段６で生成された受信可否情報を判定する、受信否の場合はＳ１０５に進み、受信可の場合はＳ１０６に進む。
【００１５】
Ｓ１０５では、受信否であるので、自かご駆動手段９により自かごを駆動し、Ｓ１０３に進む。以下、受信否である場合にはＳ１０３からＳ１０５が繰り返される。駆動する量は、例えば１メートルに相当する量や、１階に相当する量など、予め定めておいても良いし、適宜設定しても良い。
【００１６】
Ｓ１０６では、受信可であるので、第二の送受信手段５で受信した更新すべき情報を第一の記憶手段７に記憶し、Ｓ１０７に進む。
【００１７】
Ｓ１０７では、第一の記憶手段７に記憶された更新すべき情報をかご情報表示手段８で表示する。
【００１８】
ここで、本実施の形態１における情報表示装置３で表示する情報は、好ましくは、風景画像や商用ビルのコマーシャル、利用者への連絡情報である。これらの更新頻度は、１日数回程度であるため、エレベータが昇降路を一往復する時間程度で更新できるため好適である。これらの情報の場合、好ましくは第一の記憶手段７を２つの領域にバンク分けを行っておき、通常時においては、第一の記憶手段７の第一のバンクに記憶された情報を読み出すことによりかご情報表示手段８で表示するとともに、更新すべき情報を第一の記憶手段７の第二のバンクに書き込み、この書き込みが完了したら、第一の記憶手段７の第二のバンクから情報を読み出すことによりかご情報表示手段８で表示するように切り換えることにより、情報の連続性を失うことなく表示することができる。新たな更新すべき情報は第一の記憶手段７の第一のバンクに書き込むようにすればよい。
【００１９】
また、本実施の形態１では、第一の送受信手段４を基準階（例えば１階）に設置すれば、エレベータは基準階で待機、停止することが多いため、情報の更新が容易となり、送信電力も更に小さくすることができる。
【００２０】
本実施の形態１の情報表示システムによれば、例えば、超高層エレベータにおいても、通信可である位置にエレベータを移動させることができるため、更新すべき情報を確実に伝送することができる。また必要以上に送信電力を大きくさせる必要もない。
【００２１】
また、表示手段８は、スピーカを備えた音声アナウンス装置にしてもよく、本実施の形態と同様の効果を奏する。
【００２２】
実施の形態１では、かご２を駆動するのに、自かご駆動手段９を用いたが、制御盤に設置されたかご駆動手段１１を用いても良い。この変形例に係るエレベータの情報システムの一構成図を図３に示す。
【００２３】
図３に示す実施の形態２に係るエレベータの情報表示システムにおいて、制御盤１０と制御盤１０に設置されたかご駆動手段１１以外は、図１に示す実施の形態１と同様の構成である。
【００２４】
動作フローチャートは図２におけるＳ１０５をかご駆動手段１１に置き換えるだけで実現できる。
【００２５】
本変形例では、制御盤に設置されたかご駆動手段を用いているため、実施の形態１と同様の効果を奏するほか、自かご駆動手段を備えないエレベータにも適用できるという効果がある。
【００２６】
実施の形態２．
実施の形態１では、更新情報を用いて受信可否判定を行ったが、通信品質判定用情報を用いて受信可否判定を行っても良い。
【００２７】
図１は、実施の形態２に係るエレベータの情報システムの一構成図である。
図１において、昇降路１内には、通信品質判定用情報及び更新すべきエレベータ表示情報を送信するとともに受信品質可否情報を受信する第一の送受信手段４と、昇降路１内を昇降するかご２があり、かご２の中には情報表装置３が備えられている。情報表示装置３は、第一の送受信手段４から通信品質判定用情報、更新すべきエレベータ表示情報及びかご移動指令を第一の送受信手段４から受信する第二の送受信手段５、第二の送受信手段５で受信した通信品質判定用情報の通信品質に基づいて受信可否を判定して受信可否情報を生成する受信可否判定手段６と、受信可否情報生成後及びかご指令に基づき、予め定めた所定量でかご位置を移動させるかご位置駆動手段９と、受信可否情報に基づき更新すべき情報を記憶することにより情報の更新を行う第一の記憶手段７及び第一の記憶手段７で記憶された更新すべき情報を表示するかご情報表示手段８を備えている。
【００２８】
次に図１の動作を図４に基づいて説明する。図４はこの発明の実施の形態２における動作フローチャートである。
【００２９】
まずＳ２０１において、第一の送受信手段４から通信品質判定用情報の送信を開始する。この通信品質判定用応報は通信品質に基づいて受信可否を判定するために送信する情報であり、好ましくは実際に送信するものよりも短いデータであるが、受信可否を判定できるものであれば何でもよい。通信品質判定用情報の送信を開始するとＳ２０２に進む。
Ｓ２０２〜Ｓ２０５は、Ｓ１０２〜Ｓ１０５において、更新すべき情報の代わりに通信品質判定用情報を用いている以外は違いがないため説明を省略する。
【００３０】
Ｓ２０６では、受信可判定否手段６で判定した受信可の受信可否情報を第二の送受信手段５を介して第一の送受信手段４に送る。ここまでのフローにより、現在のかご位置で通信品質判定用情報が受信可の状態であることになる。
【００３１】
Ｓ２０７では、Ｓ２０１の通信品質判定用情報に変えて、更新すべき情報の送信を開始し、Ｓ２０８に進む。
【００３２】
Ｓ２０８では、第一の送受信手段４からの更新すべき情報を第二の受信手段５で受信し、Ｓ２０９へ進む。
【００３３】
Ｓ２０９、Ｓ２１０は実施の形態Ｓ１０６、Ｓ１０７と同じであるため説明を省略する。
【００３４】
本実施の形態２の情報表示システムによれば、実施の形態１と同様に、例えば、超高層エレベータにおいても、通信可である位置にエレベータを移動させることができるため、更新すべき情報を確実に伝送することができる。また必要以上に送信電力を大きくさせる必要もない。
【００３５】
実施の形態３．
実施の形態１、２では、受信可となる位置までかごを移動して、その場所で更新すべき情報を伝送する情報表示システムを提示したが、予め受信可となるかご位置を取得しておいて、更新すべき情報発生時に、その受信可となる位置までかごを移動させるようにしても良い。
【００３６】
図５は、実施の形態３に係るエレベータ情報表示システムの一構成図である。図５に示す実施の形態３に係るエレベータの情報表示システムにおいて、第二の記憶手段１２、昇降路位置取得手段１３以外は、図１に示す実施の形態２と同様の構成である。
【００３７】
図５において、昇降路１内には、通信品質判定用情報、更新すべきエレベータ表示情報及びかご移動指令を送信するとともに受信品質可否情報を受信する第一の送受信手段４と、昇降路１内を昇降するかご２があり、かご２の中には情報表装置３が備えられている。情報表示装置３は、第一の送受信手段４から通信品質判定用情報、更新すべきエレベータ表示情報及びかご移動指令を第一の送受信手段４から受信する第二の送受信手段５、第二の送受信手段５で受信した通信品質判定用情報の通信品質に基づいて受信可否を判定して受信可否情報を生成する受信可否判定手段６と、昇降路内の距離に対応する現在のかご位置を取得する昇降路位置取得手段１３と、受信可否情報と昇降路位置情報とを対応付けて記憶する第二の記憶手段１２と、受信可否情報生成後及びかご指令に基づき、予め定めた所定量でかご位置を移動させるかご位置駆動手段９と、受信可否情報に基づき更新すべき情報を記憶することにより情報の更新を行う第一の記憶手段７及び第一の記憶手段７で記憶された更新すべき情報を表示するかご情報表示手段８を備えている。
【００３８】
次に図５の動作を図６に基づいて説明する。図６はこの発明の実施の形態３における動作フローチャートである。
【００３９】
Ｓ３０１からＳ３０３は、実施の形態２のＳ２０１からＳ２０３と同じであるため説明済を省略する。
【００４０】
Ｓ３０４では、昇降路位置取得手段１３で取得した昇降路内の距離に対応する現在のかご位置情報と、受信可否判定手段６で判定した受信可否情報とを対応付けて第二の記憶手段１２に記憶して、Ｓ３０５に進む。
【００４１】
Ｓ３０５では、自かご駆動手段９により自かご２を駆動し、Ｓ３０６に進む。駆動する量は、例えば１メートルに相当する量や、１階に相当する量など、適宜設定することができる。
【００４２】
Ｓ３０６では全昇降路行程でかご２の移動を実施したかを判定し、実施していなければＳ１に、実施したらＳ３０７に進む。すなわち、全昇降路行程で受信品質可否の取得が完了するまでＳ３０１からＳ３０６が繰り返される。なお、一つでも受信品質可の取得が完了したらＳ３０７に進むようにしても構わない。
【００４３】
Ｓ３０７では、第一の送受信手段４より更新すべき情報が発生したことにより、かご移動指令が送信され、Ｓ３０８に進む。
【００４４】
Ｓ３０８では、かご移動指令に基づき、第二の記憶手段１２にて、受信可に対応する昇降路内かご位置まで、自かご駆動手段９を用いてかご２を移動させ、Ｓ３０９に進む。なお、Ｓ３０７、Ｓ３０８の動作開始は、好ましくは当該かご２に呼びが発生していない待機状態であるが、当該かご２が呼びに応答している場合に、受信可である位置に停止した場合にも開始しても構わない。
【００４５】
Ｓ３０９からＳ３１２については実施の形態２のＳ２０７からＳ２１０と同じであるため説明を省略する。
【００４６】
本実施の形態３の情報表示システムによれば、例えば、超高層エレベータにおいても、通信可である位置にエレベータを移動させることができるため、更新すべき情報を確実に伝送することができる。また必要以上に送信電力を大きくさせる必要もない。
【００４７】
また、予め受信可に対応する昇降路内かご位置までかごを移動させるため、適時に情報の更新ができる。
【００４８】
実施の形態３では、かご２を駆動するのに、自かご駆動手段９を用いたが、制御盤に設置されたかご駆動手段１１を用いても良い。この変形例に係るエレベータの情報システムの一構成図を図７に示す。
【００４９】
図７に示す実施の形態３に係るエレベータの情報表示システムにおいて、制御盤１０と制御盤１０に設置されたかご駆動手段１１以外は、図５に示す実施の形態３と同様の構成である。
【００５０】
動作フローチャートは図６におけるＳ３０５をかご駆動手段１１に置き換えるだけで実現できる。
【００５１】
本変形例では、制御盤に設置されたかご駆動手段を用いているため、実施の形態１と同様の効果を奏するほか、自かご駆動手段を備えないエレベータにも適用できるという効果がある。
【００５２】
実施の形態４．
実施の形態１〜３では、特に説明してこなかったが、遠隔制御により更新すべき情報の送信やかごの移動を行うようにすることもできる。
【００５３】
図８は、実施の形態４に係るエレベータの情報システムの一構成図である。図８に示す実施の形態４に係るエレベータの情報表示システムにおいて、制御盤１０に設置されたかご制御手段１４、管理人室１５に設置されたかご遠隔制御手段１６、更新情報入力手段１７以外は、図１に示す実施の形態２と同様の構成である。
【００５４】
次に図８の動作を図９に基づいて説明する。図９はこの発明の実施の形態５における動作フローチャートである。
【００５５】
Ｓ４０１では、更新情報入力手段１７により、情報表示装置３に新たに表示したい表示情報のデータが入力され、Ｓ４０２に進む。
【００５６】
Ｓ４０２からＳ４０５については実施の形態２のＳ２０１からＳ２０４と同じであるため説明を省略する。
【００５７】
Ｓ４０６では、受信可否情報が受信否であったため、管理人によるかご移動指令を更新情報入力手段１７に入力して、Ｓ４０７に進む。
【００５８】
Ｓ４０７では、更新情報入力手段１７を介しかご移動指令をかご遠隔制御手段１６から出力し、かご制御手段１４を介してかご駆動手段１１を駆動する。すなわち、受信可否情報が受信否である場合にはＳ４からＳ１１が繰り返される。駆動する量は、例えば１メートルに相当する量や、１階に相当する量など、適宜設定することができる。
【００５９】
なお、途中のＳ４０６を省略することもできる。この場合、Ｓ４０５で受信品質が所定値未満であったため、Ｓ４０７で自動的にかご移動指令をかご遠隔制御手段１６から出力し、かご制御手段１４を介してかご駆動手段１１を駆動する。
【００６０】
Ｓ４０８からＳ４１２は実施の形態２のＳ２０６からＳ２１０と同じであるため説明を省略する。
【００６１】
本実施の形態は、これまで説明した実施の形態３の変形例における図５の情報表示装置３の構成を用いることもできる。その場合、Ｓ４０６において、更新情報入力手段１７を介しかご移動指令をかご遠隔制御手段１６から出力し、かご制御手段１４を介して、かご駆動手段１１を、第二の記憶手段１２にて、受信可に対応する昇降路内かご位置まで移動させ、Ｓ４０９に進むようにすれば良い。
【００６２】
以上のように、本実施の形態では実施の形態２の効果に加え、遠隔操作にて、情報の更新を適時に行うことができるという効果がある。
【００６３】
なお、実施の形態１から４のこれまでの説明では、受信可否判定手段６は情報表示装置３内であるように記述したが、これを第一の送受信手段４内に設置することもできる。
【００６４】
その場合、かご２の駆動は、第一の送受信手段４、更新情報入力手段１７、かご遠隔制御手段１６、かご制御手段１４を介してかご駆動手段１１を駆動するようにすれば良い。
【００６５】
また、受信可否判定については、第二の送受信手段５で受信した品質が、第一の送受信手段４で受信する品質と同じであるとみなせば、第一の送受信手段４側の受信可否手段６を用いて実施の形態１で記載した信号対雑音電力比（Ｓ／Ｎ；Ｓｉｇｎａｌ  ｔｏ  Ｎｏｉｓｅ  Ｐｏｗｅｒ  Ｒａｔｉｏ）や、フレームエラーレートを用いることができる。
【００６６】
更に、第一の送受信手段４が通信開始後、何らかの応答信号を受信することにより受信完了を確認する仕組みを用いる場合において、当該応答信号が所定時間内に受信できないことにより、受信否であるとみなすことによって判定することもできる。
【００６７】
また当該応答信号が、受信成功（ＡＣＫ）応答の場合のみ受信可と判定し、受信失敗（ＮＡＣＫ）応答や、所定時間以内に応答信号が受信できなかったときに、受信否と判定することもできる。
【００６８】
これにより、情報表示装置の構成を簡易にすることができる。
【００６９】
また、第一の送受信手段４は昇降路内の基準階に設置するように記述したが、任意の階の乗場に設置するようにしても良い。この場合、当該階に停止している時に、情報の更新を行うことができ、更に好適である。
【産業上の利用可能性】
【００７０】
本発明は、エレベータのかご内に表示する情報の更新を、無線を用いてエレベータ情報表示するシステムに適用できる。
【符号の説明】
【００７１】
１  昇降路  ２  かご  ３  情報表示装置  ４  第一の送受信手段  ５  第二の送受信手段  ６  受信可否判定手段  ７  第一の記憶手段  ８  表示手段  ９  自かご駆動手段  １０  制御盤  １１  かご駆動手段  １２  第二の記憶手段  １３  昇降路位置取得手段  １４  かご制御手段  １５  管理人室  １６  かご遠隔制御手段  １７  更新情報入力手段
【図１】
2014054066.tif 000003
【図２】
2014054066.tif 000004
【図３】
2014054066.tif 000005
【図４】
2014054066.tif 000006
【図５】
2014054066.tif 000007
【図６】
2014054066.tif 000008
【図７】
2014054066.tif 000009
【図８】
2014054066.tif 000010
【図９】
2014054066.tif 000011
【手続補正書】
【提出日】平成27年9月4日(2015.9.4)
【手続補正１】
【補正対象書類名】特許請求の範囲
【補正対象項目名】全文
【補正方法】変更
【補正の内容】
【特許請求の範囲】
【請求項１】
エレベータかご内に表示する情報の更新を無線により行うエレベータ情報表示システムであって、
前記エレベータの昇降路内若しくは乗場に設置され、更新すべき情報を送信する第一の送受信手段と、
前記かごに設置され、前記第一の送受信手段により前記更新すべき情報を受信する第二の送受信手段と、
前記第二の送受信手段で受信した前記更新すべき情報の通信品質に基づいて受信可否を判定して受信可否情報を生成する受信可否判定手段と、
前記受信可否判定手段で前記受信可否情報が受信否であった場合に、受信可となる位置まで繰り返し予め定めた所定量でかご位置を移動させるかご駆動手段と、
前記受信可否情報に基づき前記更新すべき情報を記憶することにより情報の更新を行う第一の記憶手段と、
前記第一の記憶手段で記憶した情報に基づいてかご内情報を表示するかご情報表示手段と、を備え、
前記第一の記憶手段への記憶は、前記受信可否情報が受信可であるかご位置に、前記かご駆動手段によりかごを移動させてから実施することを特徴とするエレベータの情報表示システム。
【請求項２】
エレベータかご内に表示する情報の更新を無線により行うエレベータ情報表示システムであって、
前記エレベータの昇降路内若しくは乗場に設置され、通信品質判定用情報及び更新すべきエレベータ表示情報を送信するとともに受信品質可否情報を受信する第一の送受信手段と、
前記かごに設置され、前記第一の送受信手段により前記通信品質判定用情報及び更新すべき情報を受信するとともに前記受信品質可否情報を送信する第二の送受信手段と、
前記第二の送受信手段で受信した前記通信品質判定用情報の通信品質に基づいて受信可否を判定して前記受信可否情報を生成する受信可否判定手段と、
前記受信可否判定手段で前記受信階情報が受信否であった場合に、受信可となる位置まで繰り返し予め定めた所定量でかご位置を移動させるかご駆動手段と、
前記受信可否情報に基づき前記更新すべき情報を記憶することにより情報の更新を行う第一の記憶手段と、
前記第一の記憶手段で記憶した情報に基づいてかご内情報を表示するかご情報表示手段と、を備え、
前記第一の記憶手段への記憶は、前記受信可否情報が受信可であるかご位置に、前記かご駆動手段によりかごを移動させてから実施することを特徴とするエレベータの情報表示システム。
【請求項３】
前記情報表示システムは、更に、かご内の昇降路位置の情報を取得する昇降路位置取得手段と、前記昇降路位置と前記受信可否判定手段の受信可否情報とを対応付けて記憶する第二の記憶手段を備え、
前記第一の記憶手段への記憶は、前記受信可否情報が受信可であるかご位置に、前記かご駆動手段によりかごを移動させてから実施することを特徴とする請求項１、２いずれかに記載のエレベータの情報表示システム。
【請求項４】
前記情報表示システムは、更に、遠隔で更新すべき情報を入力する更新情報入力手段と、
遠隔でかごを制御するかご遠隔制御手段と、を備え、
前記第一の記憶手段への記憶は、前記更新情報入力手段からの移動指令に基づいて前記受信可否情報が受信可である位置にかごを移動させてから実施することを特徴とする、請求項１〜３いずれかに記載のエレベータの情報表示システム。
【手続補正２】
【補正対象書類名】明細書
【補正対象項目名】０００６
【補正方法】変更
【補正の内容】
【０００６】
この発明におけるエレベータ情報表示システムにおいては、エレベータかご内に表示する情報の更新を無線により行うエレベータ情報表示システムであって、
前記エレベータの昇降路内若しくは乗場に設置され、更新すべき情報を送信する第一の送受信手段と、
前記かごに設置され、前記第一の送受信手段により前記更新すべき情報を受信する第二の送受信手段と、
前記第二の送受信手段で受信した前記更新すべき情報の通信品質に基づいて受信可否を判定して受信可否情報を生成する受信可否判定手段と、
前記受信可否判定手段で前記受信可否情報が受信否であった場合に、受信可となる位置まで繰り返し予め定めた所定量でかご位置を移動させるかご駆動手段と、
前記受信可否情報に基づき前記更新すべき情報を記憶することにより情報の更新を行う第一の記憶手段と、
前記第一の記憶手段で記憶した情報に基づいてかご内情報を表示するかご情報表示手段と、を備え、
前記第一の記憶手段への記憶は、前記受信可否情報が受信可であるかご位置に、前記かご駆動手段によりかごを移動させてから実施することを特徴とする。
【手続補正書】
【提出日】平成28年3月24日(2016.3.24)
【手続補正１】
【補正対象書類名】特許請求の範囲
【補正対象項目名】請求項２
【補正方法】変更
【補正の内容】
【請求項２】
エレベータかご内に表示する情報の更新を無線により行うエレベータ情報表示システムであって、
前記エレベータの昇降路内若しくは乗場に設置され、通信品質判定用情報及び更新すべきエレベータ表示情報を送信するとともに受信可否情報を受信する第一の送受信手段と、
前記かごに設置され、前記第一の送受信手段により前記通信品質判定用情報及び更新すべき情報を受信するとともに前記受信可否情報を送信する第二の送受信手段と、
前記第二の送受信手段で受信した前記通信品質判定用情報の通信品質に基づいて受信可否を判定して前記受信可否情報を生成する受信可否判定手段と、前記受信可否判定手段で前記受信可否情報が受信否であった場合に、受信可となる位置まで繰り返し予め定めた所定量でかご位置を移動させるかご駆動手段と、
前記受信可否情報に基づき前記更新すべき情報を記憶することにより情報の更新を行う第一の記憶手段と、
前記第一の記憶手段で記憶した情報に基づいてかご内情報を表示するかご情報表示手段と、を備え、
前記第一の記憶手段への記憶は、前記受信可否情報が受信可であるかご位置に、前記かご駆動手段によりかごを移動させてから実施することを特徴とするエレベータの情報表示システム。
【手続補正２】
【補正対象書類名】明細書
【補正対象項目名】００１３
【補正方法】変更
【補正の内容】
【００１３】
Ｓ１０３では、第二の送受信手段５において受信した更新すべき情報より受信可否判定手段６において受信可否を判定し、Ｓ１０４に進む。受信可否は、受信品質を求め、それが所定値以上であれば受信可、所定値未満であれば受信否と判定する。ここで作成された受信可若しくは受信否の情報は受信可否情報と呼ぶ。受信品質は周知の技術により求めることができる。例えば、信号対雑音電力比（Ｓ／Ｎ；Ｓｉｇｎａｌ  ｔｏ  Ｎｏｉｓｅ  Ｐｏｗｅｒ  Ｒａｔｉｏ）を用いる方法や、実際に復調し、誤り訂正用のパリティビットを計測することにより求めたフレームエラーレートを用いる方法などがある。また所定値については、例えばＳ／Ｎが３ｄＢ以上やフレームエラーレートが１％以下など、予め定めておいても良いし、適宜設定しても良い。
【手続補正３】
【補正対象書類名】明細書
【補正対象項目名】００２７
【補正方法】変更
【補正の内容】
【００２７】
図１は、実施の形態２に係るエレベータの情報システムの一構成図である。
図１において、昇降路１内には、通信品質判定用情報及び更新すべきエレベータ表示情報を送信するとともに受信可否情報を受信する第一の送受信手段４と、昇降路１内を昇降するかご２があり、かご２の中には情報表装置３が備えられている。情報表示装置３は、第一の送受信手段４から通信品質判定用情報、更新すべきエレベータ表示情報及びかご移動指令を第一の送受信手段４から受信する第二の送受信手段５、第二の送受信手段５で受信した通信品質判定用情報の通信品質に基づいて受信可否を判定して受信可否情報を生成する受信可否判定手段６と、受信可否情報生成後及びかご指令に基づき、予め定めた所定量でかご位置を移動させるかご位置駆動手段９と、受信可否情報に基づき更新すべき情報を記憶することにより情報の更新を行う第一の記憶手段７及び第一の記憶手段７で記憶された更新すべき情報を表示するかご情報表示手段８を備えている。
【手続補正４】
【補正対象書類名】明細書
【補正対象項目名】００３０
【補正方法】変更
【補正の内容】
【００３０】
Ｓ２０６では、受信可否判定手段６で判定した受信可の受信可否情報を第二の送受信手段５を介して第一の送受信手段４に送る。ここまでのフローにより、現在のかご位置で通信品質判定用情報が受信可の状態であることになる。
【手続補正５】
【補正対象書類名】明細書
【補正対象項目名】００３７
【補正方法】変更
【補正の内容】
【００３７】
図５において、昇降路１内には、通信品質判定用情報、更新すべきエレベータ表示情報及びかご移動指令を送信するとともに受信可否情報を受信する第一の送受信手段４と、昇降路１内を昇降するかご２があり、かご２の中には情報表装置３が備えられている。情報表示装置３は、第一の送受信手段４から通信品質判定用情報、更新すべきエレベータ表示情報及びかご移動指令を第一の送受信手段４から受信する第二の送受信手段５、第二の送受信手段５で受信した通信品質判定用情報の通信品質に基づいて受信可否を判定して受信可否情報を生成する受信可否判定手段６と、昇降路内の距離に対応する現在のかご位置を取得する昇降路位置取得手段１３と、受信可否情報と昇降路位置情報とを対応付けて記憶する第二の記憶手段１２と、受信可否情報生成後及びかご指令に基づき、予め定めた所定量でかご位置を移動させるかご位置駆動手段９と、受信可否情報に基づき更新すべき情報を記憶することにより情報の更新を行う第一の記憶手段７及び第一の記憶手段７で記憶された更新すべき情報を表示するかご情報表示手段８を備えている。
【手続補正６】
【補正対象書類名】明細書
【補正対象項目名】００４２
【補正方法】変更
【補正の内容】
【００４２】
Ｓ３０６では全昇降路行程でかご２の移動を実施したかを判定し、実施していなければＳ１に、実施したらＳ３０７に進む。すなわち、全昇降路行程で受信可否の取得が完了するまでＳ３０１からＳ３０６が繰り返される。なお、一つでも受信品質可の取得が完了したらＳ３０７に進むようにしても構わない。
【国際調査報告】
2014054066.tif 000012
2014054066.tif 000013